(57)【要約】      （修正有）【課題】墨出し作業が簡単容易に行なえると共に、正確なレベル出しができるレーザー墨出し装置を提供する。【解決手段】レーザー装置２と、レーザー装置２を昇降自在に支持する昇降支持手段３と、昇降支持手段３を壁材４ａ、柱材等の垂直材４に取り外し自在に取り付ける取付手段５とからなるもので、使用にあたり、レーザー装置２が建物の天井部に近い高所に位置するように昇降支持手段３を取付手段５により垂直材４の所要位置に取り付け、レーザー装置２からレーザー光線を投射させた状態で、マーキングを行うことなく、レーザー光線をそのまま墨打ち線とするようにした。【選択図】図１
0003191647.tif 000002
【実用新案登録請求の範囲】
【請求項１】
レーザー装置と、このレーザー装置を昇降自在に支持する昇降支持手段と、この昇降支持手段を壁材、柱材等の垂直材に取り外し自在に取り付ける取付手段とを備えるレーザー墨出し装置であって、
前記昇降支持手段は、前記レーザー装置が建物の天井部に近い高所に位置するように前記取付手段により前記垂直材の所要位置に取り付けられ、
前記レーザー装置は、前記建物の天井部に近い高所位置にて、マーキングを行うことなくそのまま墨打ち線となるようにレーザー光線を投射してなることを特徴とするレーザー墨出し装置。
【請求項２】
前記取付手段は、前記昇降支持手段と前記垂直材との間に一定の間隔を確保して前記昇降支持手段を前記垂直材に取り付けてなる請求項１に記載のレーザー墨出し装置。
【請求項３】
前記取付手段は、夫々の基端部が前記昇降支持手段の上部側と下部側とに取り付けられ且つ夫々の先端部が前記垂直材に取り付けられ、前記昇降支持手段と前記垂直材との間に一定の間隔を確保する上部水平取付アーム及び下部水平取付アームからなる請求項１又は２に記載のレーザー墨出し装置。
【請求項４】
前記取付手段は、夫々の基端部が前記昇降支持手段の上部側と下部側とに取り付けられ且つ夫々の先端部が前記垂直材に取り付けられて、前記昇降支持手段と前記垂直材との間に一定の間隔を確保する上部水平取付アーム及び下部水平取付アームと、上部水平取付アームの先端部と下部水平取付アームの先端部とをつないで、前記垂直材に取り付けられる連結取付用竪板材とからなる請求項１又は２に記載のレーザー墨出し装置。
【請求項５】
前記昇降支持手段は、前記取付手段によって前記垂直材に取り付けられる基筒部と、この基筒部から上方へ突出するように当該基筒部に対し伸縮操作可能に連結された伸縮部材と、この伸縮部材の上端部に設けられたレーザー装置取付用座板とからなる請求項１〜４の何れか１項に記載のレーザー墨出し装置。
【請求項６】
前記昇降支持手段は、前記取付手段によって前記垂直材に取り付けられる基筒部と、この基筒部から上方へ突出するように当該基筒部に対し伸縮操作可能に連結された伸縮部材と、この伸縮部材の上端部に設けられたレーザー装置取付用座板と、前記基筒部の上端部に設けられた三脚取付部材とからなるもので、当該三脚取付部材には三脚が取り外し可能に取り付けられるようになっている請求項１〜４の何れか１項に記載のレーザー墨出し装置。
【考案の詳細な説明】
【技術分野】
【０００１】
本考案は、例えば建物の天井部分に天井板を設置する際に使用されるレーザー墨出し装置に関するものである。
【背景技術】
【０００２】
例えば、木造建物の天井部分に天井板を設置するにあたっては、天井下地である野縁を天井部の所定高さ位置に格子状に配設し、この野縁に天井板を取り付けるようになっているが、天井板を水平に設置するためには野縁及び野縁取付用縁枠を水平に配設する必要があり、この野縁及び野縁取付用縁枠の水平レベル出しには、墨出し用レーザー装置が使用される。この墨出し用レーザー装置は、専用の三脚に取り付けて使用される。
【０００３】
従来、天井板の設置に際して墨出し用レーザー装置を使用する場合、野縁及び野縁取付用縁枠の取付箇所が高所となるため、墨出し用レーザー装置を三脚に取り付けただけでは所定高さに届かないことから、相当な高さを有する作業台を用い、この作業台上に三脚を載せて、墨出し用レーザー装置の使用を行なっている。
【考案の概要】
【考案が解決しようとする課題】
【０００４】
上記のような従来の墨出し用レーザー装置の使用では、所要の高さを確保し得る作業台等の台が必要で墨出し作業に手間がかかると共に、その台上で三脚を安定状態に固定することが困難であるため、墨出し用レーザー装置による正確なレベル出しができないおそれがあった。本考案は、このような課題に鑑み、墨出し作業が簡単容易に行なえると共に、正確なレベル出しができるレーザー墨出し装置を提供することを目的とする。
【課題を解決するための手段】
【０００５】
上記課題を解決するための手段を、後述する実施形態の参照番号を付して説明すると、請求項１に係る考案のレーザー墨出し装置は、レーザー装置２と、このレーザー装置２を昇降自在に支持する昇降支持手段３と、この昇降支持手段３を壁材４Ａ、柱材等の垂直材４に取り外し自在に取り付ける取付手段５とを備えるレーザー墨出し装置であって、
前記昇降支持手段３は、前記レーザー装置２が建物の天井部に近い高所に位置するように前記取付手段５により前記垂直材４の所要位置に取り付けられ、
前記レーザー装置２は、前記建物の天井部に近い高所位置にて、マーキングを行うことなくそのまま墨打ち線となるようにレーザー光線を投射してなることを特徴とする。
【０００６】
請求項２は、請求項１に記載のレーザー墨出し装置において、前記取付手段５は、前記昇降支持手段３と前記垂直材４との間に一定の間隔を確保して前記昇降支持手段３を前記垂直材４に取り付けるようになっていることを特徴とする。ここで、一定の間隔とは、昇降支持手段３を取り付ける側の垂直材４に対しレーザー装置２からのレーザー光線ＬＢの投射が可能となる間隔を云うものとする。
【０００７】
請求項３は、請求項１又は２に記載のレーザー墨出し装置において、前記取付手段５は、夫々の基端部が前記昇降支持手段３の上部側と下部側とに取り付けられ且つ夫々の先端部が前記垂直材４に取り付けられて、前記昇降支持手段３と前記垂直材４との間に一定の間隔を確保する上部水平取付アーム１３及び下部水平取付アーム１４からなることを特徴とする。
【０００８】
請求項４は、請求項１又は２に記載のレーザー墨出し装置において、前記取付手段５は、夫々の基端部が前記昇降支持手段３の上部側と下部側とに取り付けられ且つ夫々の先端部が前記垂直材４に取り付けられて、前記昇降支持手段３と前記垂直材４との間に一定の間隔を確保する上部水平取付アーム１３及び下部水平取付アーム１４と、上部水平取付アーム１３の先端部と下部水平取付アーム１４の先端部とをつないで、前記垂直材４に取り付けられる連結取付用竪板材１５とからなることを特徴とする。
【０００９】
請求項５は、請求項１〜４の何れか１項に記載のレーザー墨出し装置において、前記昇降支持手段３は、前記取付手段５によって前記垂直材４に取り付けられる基筒部６と、この基筒部６から上方へ突出するように基筒部６に対し伸縮操作可能に連結された伸縮部材７と、この伸縮部材７の上端部に設けられたレーザー装置取付用座板８とからなることを特徴とする。
【００１０】
請求項６は、請求項１〜４の何れか１項に記載のレーザー墨出し装置において、前記昇降支持手段３は、前記取付手段５によって前記垂直材４に取り付けられる基筒部６と、この基筒部６から上方へ突出するように当該基筒部６に対し伸縮操作可能に連結された伸縮部材７と、この伸縮部材７の上端部に設けられたレーザー装置取付用座板８と、前記基筒部６の上端部に設けられた三脚取付部材９とからなるもので、当該三脚取付部材９には三脚１０が取り外し可能に取り付けられるようになっていることを特徴とする。
【考案の効果】
【００１１】
上記解決手段による考案の効果を、後述する実施形態の参照番号を付して説明すると、請求項１に係る考案のレーザー墨出し装置によると、例えば天井板の設置に際して野縁２２等の天井下地の取付位置の水平レベル出しを行う場合に、レーザー装置２が建物の天井部Ｓに近い高所に位置するように昇降支持手段３を取付手段５により垂直材４の所要位置に取り付けできるから、従来のように墨出し作業に手間がかからず、しかもレーザー装置２からレーザー光線ＬＢを投射させた状態で、マーキングさらに墨打ちを行うことなく、そのレーザー光線ＬＢをそのまま墨打ち線として使用するから、墨出し作業を一層簡単且つ容易に行なえると共に、より正確なレベル出しを行うことができる。
【００１２】
請求項２に係る考案のように、取付手段５が、昇降支持手段３と垂直材４との間に一定の間隔、即ち昇降支持手段３を取り付ける側の垂直材４に対しレーザー装置２からのレーザー光線ＬＢの投射が可能となる間隔を確保して昇降支持手段３を垂直材４に取り付けるようになっているから、レーザー墨出し装置１を取り付ける側の壁材４Ａ等の垂直材４に対してもレーザー装置２からレーザー光線ＬＢを投射することができる。
【００１３】
請求項３に係る考案のように、取付手段５が、上部水平取付アーム１３及び下部水平取付アーム１４からなるものとすれば、取付手段５の構成が簡単になると共に、昇降支持手段３と垂直材４との間に一定の間隔を確保できるため、図３に示すようにレーザー墨出し装置１を取り付ける側の垂直材４である壁材４Ａに対してもレーザー装置２からレーザー光線を投射することができる。
【００１４】
請求項４に係る考案のように、取付手段５が、上部水平取付アーム１３及び下部水平取付アーム１４と連結取付用竪板材１５とからなるものとすれば、連結取付用竪板材１５が、上部水平取付アーム１３と下部水平取付アーム１４とを夫々昇降支持手段３の基筒部６に対し直角に保持すると共に、上部水平取付アーム１３と下部水平取付アーム１４とを平行に位置させることができ、一層正確な墨出しを行うことができる。
【００１５】
請求項５に係る考案のように、昇降支持手段３が、基筒部６と伸縮部材７とレーザー装置取付用座板８とからなるものとすれば、昇降支持手段３の構造が簡単で、レーザー装置取付用座板８に取り付けたレーザー装置２を容易に昇降させることができる。
【００１６】
請求項６に係る考案のように、昇降支持手段３が、基筒部６と伸縮部材７とレーザー装置取付用座板８と三脚取付部材９とからなるものとして、三脚取付部材９に三脚１０を取り外し可能に取り付けられるようにしておけば、使用にあたって、昇降支持手段３を壁材４Ａ，４Ｂや柱材等の垂直材４に取り付けず、レーザー墨出し装置１を床面上に設置して使用する場合は、三脚取付部材９に三脚１０を取り付けることで、床面上での使用ができるし、天井部Ｓに近い高所位置で墨出し作業を行う場合は、三脚取付部材９から三脚１０を取り外せばよく、従って１台のレーザー墨出し装置で高所位置での墨出し作業と低位置での墨出し作業を行うことができ、非常に実用的である。
【図面の簡単な説明】
【００１７】
【図１】(a) は本考案に係るレーザー墨出し装置を示す正面図、(b) は(a) のＸ−Ｘ線断面図である。
【図２】レーザー墨出し装置の取付手段部分を示す斜視図である。
【図３】レーザー墨出し装置の使用状態を示す説明図である。
【図４】レーザー墨出し装置の使用状態を示す説明図である。
【図５】レーザー墨出し装置の昇降支持手段の好適実施形態を示す正面図である。
【考案を実施するための形態】
【００１８】
以下に本考案の好適な実施形態について図面を参照しながら具体的に説明する。
【００１９】
この考案に係るレーザー墨出し装置１は、図１に示すように、レーザー装置２と、このレーザー装置２を昇降自在に支持する昇降支持手段３と、この昇降支持手段３を壁材４Ａや柱材（図示せず）等の垂直材４に取り外し自在に取り付ける取付手段５とからなるもので、使用にあたっては、図３及び図４に示すように、レーザー装置２が建物の天井部Ｓに近い高所に位置するように昇降支持手段３を垂直材４の所要位置に取り付けて、レーザー装置２からレーザー光線ＬＢを投射させた状態で、マーキングないし墨打ちを行うことなく、そのレーザー光線ＬＢをそのまま墨打ち線とするようになっている。
【００２０】
上記レーザー墨出し装置１の構造について詳細に説明すると、昇降支持手段３は、図１及び図２に示すように、取付手段５によって垂直材４である壁材４Ａに取り付けられる円筒状の基筒部６と、この基筒部６内に上部よりスライド自在に嵌挿されて、この基筒部６に対し伸縮操作可能に連結された円筒状の伸縮部材７と、この伸縮部材７の上端部に設けられたレーザー装置取付用座板８と、前記基筒部６の上端部に設けられた三脚取付部材９とからなるもので、三脚取付部材９には図５に示すような三脚１０が取り外し可能に取り付けられるようになっている。
【００２１】
前記基筒部６の上端部と伸縮部材７の間には伸縮部材操作機構１１が介装されている。この伸縮部材操作機構１１は、図１の(a) ，(b) に示すように、昇降支持手段３の伸縮部材７の一側面部にラック１１ａを形成し、このラック１１ａに噛合するピニオン１１ｂを、基筒部６の上端部に設けられた径大頭部６ｏに軸架し、このピニオン１１ｂの一端部に回転操作ハンドル１１ｃを連設してなるもので、回転操作ハンドル１１ｃを正逆回転させることにより、伸縮部材７を基筒部６に対し伸縮移動させて、レーザー装置取付用座板８を昇降させるようになっている。また基筒部６の径大頭部６ｏには、伸縮部材７を所要の伸縮位置で固定するための固定用ネジ具１１ｄを設けている。尚、図１の(b) において、符号１２は基筒部６の径大頭部６ｏの外周側に設けられた気泡管水準器を示す。
【００２２】
前記三脚取付部材９は、基筒部６の径大頭部６ｏ外周側に、一対の耳片９ａ，９ａを、周方向に１２０度の間隔で３対突設し、各一対の耳片９ａ，９ａ間に取付軸９ｂを横架してなるもので、各一対の耳片９ａ，９ａ間の取付軸９ｂには、図５に示す三脚１０の各脚部材１０ａの上端部に設けた取付部片１０ｂが取り外し可能に係着されるようになっている。
【００２３】
前記取付手段５は、図１及び図２に示すように、夫々の基端部が昇降支持手段３の基筒部６の上部側と下部側に夫々取り付けられ且つ夫々の先端部が壁材４Ａ等の垂直材４に取り付けられ、昇降支持手段３と壁材４Ａ等の垂直材４との間に一定の間隔を確保する上部水平取付アーム１３及び下部水平取付アーム１４と、前記上部水平取付アーム１３の先端部と前記下部水平取付アーム１４とをつないで、壁材４Ａ等の垂直材４に取り外し可能に取り付けられる連結取付用竪板材１５とから構成される。
【００２４】
この取付手段５の上部水平取付アーム１３は、図１及び図２に示すように、基筒部６の上部側を掴持する基端部側アーム部１３ａと、連結取付用竪板材１５側にビス１６で取り付けられ、基端部側アーム部１３ａに対しボルト１７で連結される先端部側アーム部１３ｂとからなり、先端部側アーム部１３ｂには長孔１８が設けてあり、この長孔１８に基端部側アーム部１３ａ側からボルト１７を通してナット（図示せず）で締め付けることにより、基端部側アーム部１３ａと先端部側アーム部１３ｂとを長さ調整可能に連結することができる。下部水平取付アーム１４も、同様に、基筒部６の下部側を掴持する基端部側アーム部１４ａと、連結取付用竪板材１５側にビス１６で取り付けられ、基端部側アーム部１４ａに対しボルト１７で連結される先端部側アーム部１４ｂとからなり、先端部側アーム部１４ｂの長孔１８に基端部側アーム部１４ａ側からボルト１７を通してナット（図示せず）で締め付けることにより、基端部側アーム部１３ａと先端部側アーム部１３ｂとを長さ調整可能に連結することができる。
【００２５】
前記連結取付用竪板材１５は、夫々の基端部を基筒部６の上下端部に取り付けた上部水平取付アーム１３の先端部と下部水平取付アーム１４の先端部とを連結することにより、上部水平取付アーム１３と下部水平取付アーム１４とを夫々昇降支持手段３の基筒部６に対し直角に保持すると共に、上部水平取付アーム１３と下部水平取付アーム１４とを平行に位置させ、また基筒部６と連結取付用竪板材１５とを平行位置させることができ、これによって正確な墨出しを行うことができる。連結取付用竪板材１５は、例えば木製板材からなるもので、その上部及び下部に複数の釘孔１９が設けてあって、図１の(a) に示すように釘孔１９から壁材４Ａ等の垂直材４に釘２０を打ち込んで固定することができる。
【００２６】
前記レーザー装置２は、図１の(a) に示すように、基台部２１に回転自在に装着されていて、支持手段３への取り付けにあたり、レーザー装置取付用座板８の中心部に突設された螺軸部８ａを、基台部２１の底部に設けてあるネジ孔（図示せず）にねじ込むことによって取り付けることができる。図１の(a) において符号２ａはレーザー投射口である。
【００２７】
次に、上述した実施形態のレーザー墨出し装置１の使用方法について説明する。
【００２８】
例えば、木造建物の天井部分に天井板を設置する場合、本実施形態のレーザー墨出し装置１を、レーザー装置２が建物の天井部に近い高所に位置するように昇降支持手段３を取付手段５により垂直材４の所要位置に取り付けることによって、野縁受けや野縁等の天井下地の水平レベル出しを簡単容易に行うことができる。これを図３及び図４によって以下に具体的に説明する。
【００２９】
図３は、垂直材４である壁材４Ａ，４Ｂの高所位置に野縁取付用縁枠２２，２３を取り付けるにあたって、野縁取付用縁枠２２，２３の取付位置の水平レベル出しを行う場合を示している。この場合は、レーザー装置２が天井部Ｓに近い所定の位置に位置するように昇降支持手段３を取付手段５によって壁材４Ａの所要高さ位置に取り付ける。しかして、取付手段５は、上部水平取付アーム１３と下部水平取付アーム１４と連結取付用竪板材１５とからなるため、その連結取付用竪板材１５を壁材４Ａに釘２０打ちして取り付ける。その後、昇降支持手段３の伸縮部材７を伸縮部材操作機構１１により高さ調整して、レーザー装置２の高さ位置を決める。
【００３０】
上記のようにレーザー墨出し装置１を所要位置に設置した後、図３に示すように、レーザー装置２からレーザー光線ＬＢを水平に投射すると共に、このレーザー装置２を水平方向に回転させて、一方の壁材４Ａに対しレーザー光線ＬＢを水平に投射しながら、従来のようにマーキングを行うことなく、その水平レーザー光線ＬＢをそのまま墨打ち線として使用し、そのレーザー光線ＬＢに沿うように野縁取付用縁枠２２を壁材４Ａに釘打ち等によって取り付ける。この後、前記一方の壁材４Ａと直交方向に隣り合う他方の壁材４Ｂに対しても同様にして、図３に示す位置からレーザー装置２を水平方向に回転させて、壁材４Ｂにレーザー光線ＬＢを水平に投射しながら、そのレーザー光線ＬＢを墨打ち線として使用し、その水平レーザー光線ＬＢに沿うように野縁取付用縁枠２３を壁材４Ｂに取り付ける。
【００３１】
この場合、取付手段５は、昇降支持手段３とこの昇降支持手段３を取り付ける垂直材４との間に一定の間隔、つまりレーザー装置２からレーザー光線ＬＢを壁材４Ａに投射し得るだけの距離を確保して昇降支持手段３を垂直材４に取り付けるようになっているから、レーザー墨出し装置１を図３に示すように壁材４Ａに設置した場合でも、この壁材４Ａに対してレーザー装置２からレーザー光線ＬＢの投射を行うことができる。なお、レーザー装置２が壁材４Ａに接するような状態で昇降支持手段３が壁材４Ａに取り付けられるようになっていれば、レーザー装置２からのレーザー光線を壁材４Ａに投射できなくなり、その壁材４Ａでの墨出しができないことになる。
【００３２】
図４は、図３により説明したように壁材４Ａ，４Ｂに野縁取付用縁枠２２，２３を取り付けた後、野縁取付用縁枠２３と平行に野縁２４を所要間隔おきに取り付けるにあたり、野縁取付位置の水平レベル出しを行う場合を示している。この場合にも、レーザー装置２が天井部Ｓに近い所定の位置に位置するように昇降支持手段３を取付手段５によって壁材４Ａの所要高さ位置に取り付け、昇降支持手段３の伸縮部材７を高さ調整して、レーザー装置２の高さ位置を決める。
【００３３】
しかして、図４に示すように、レーザー装置２からレーザー光線ＬＢを野縁取付用縁枠２２と直交する方向（野縁取付用縁枠２３と平行する方向）に水平に投射しながら、従来のようにマーキングを行うことなく、そのレーザー光線ＬＢをそのまま墨打ち線として、そのレーザー光線ＬＢに沿うように野縁２４を、対向する野縁取付用縁枠２２，２２間に水平に取り付けることができる。また、こうして取り付けた野縁２４の反りを検知する時は、レーザー装置２を伸縮部材操作機構１１によって図４に示す位置より若干下降させ、レーザー光線ＬＢを野縁２４の下面側に沿うように水平に投射することにより、野縁２４の反り状態を検知することができる。
【００３４】
上述した実施形態のレーザー墨出し装置１によれば、天井板の設置に際して野縁２２等の天井下地の取付位置の水平レベル出しを行う場合に、レーザー装置２が建物の天井部Ｓに近い高所に位置するように昇降支持手段３を取付手段５によって垂直材４の所要位置に取り付けることができるから、墨出し作業に手間がかからず、しかもレーザー装置２からレーザー光線ＬＢを投射させた状態で、そのレーザー光線ＬＢをそのまま墨打ち線として使用するから、墨出し作業を一層簡単且つ容易に行なえると共に、より正確なレベル出しを行うことができる。
【００３５】
この実施形態において、取付手段５は、夫々の基端部が昇降支持手段３の上部側と下部側とに取り付けられ且つ夫々の先端部が垂直材４に取り付けられて、昇降支持手段３と垂直材４との間に一定の間隔を確保する上部水平取付アーム１３及び下部水平取付アーム１４と、上部水平取付アーム１３の先端部と下部水平取付アーム１４の先端部とをつないで、垂直材４に取り付けられる連結取付用竪板材１５とからなるものとしているが、この取付手段５としては、連結取付用竪板材１５を省いて、上部水平取付アーム１３及び下部水平取付アーム１４からなるものとして、上部水平取付アーム１３の先端部及び下部水平取付アーム１４の先端部を夫々垂直材４に直接取り付けるようにしてもよく、こうすることにより、取付手段５の構成が簡単になると共に、昇降支持手段３と垂直材４との間に一定の間隔を確保できるため、図３に示すようにレーザー墨出し装置１を取り付ける側の垂直材４である壁材４Ａに対してもレーザー装置２からレーザー光線ＬＢを投射することができる。
【００３６】
また、取付手段５としては、実施形態のように、上部水平取付アーム１３及び下部水平取付アーム１４と連結取付用竪板材１５とにより構成すれば、連結取付用竪板材１５が、上部水平取付アーム１３と下部水平取付アーム１４とを夫々昇降支持手段３の基筒部６に対し直角に保持すると共に、上部水平取付アーム１３と下部水平取付アーム１４とを平行に位置させることができるから、一層正確な墨出しを行うことができる。
【００３７】
また、昇降支持手段３は、取付手段５を介して垂直材４に取り付けられる基筒部６と、この基筒部６から上方へ突出するように基筒部６に対し伸縮操作可能に連結された伸縮部材７と、この伸縮部材７の上端部に設けられたレーザー装置取付用座板８とからなるため、構造が簡単となり、レーザー装置取付用座板８に取り付けたレーザー装置２を容易に昇降させることができる。
【００３８】
また昇降支持手段３としては、実施形態に示すように、取付手段５を介して垂直材４に取り付けられる基筒部６と、基筒部６から上方へ突出するように基筒部６に対し伸縮操作可能に連結された伸縮部材７と、伸縮部材７の上端部に設けられたレーザー装置取付用座板８と、基筒部６の上端部に設けられた三脚取付部材９とからなるものとして、三脚取付部材９に図５に示すような三脚１０を取り外し可能に取り付けられるようにしておけば、昇降支持手段３を壁材４Ａ，４Ｂや柱材等の垂直材４に取り付けず、レーザー墨出し装置１を床面上に設置して使用する場合には、三脚取付部材９に三脚１０を取り付けることにより、床面上での使用ができるし、天井部Ｓに近い高所位置で墨出し作業を行う場合は、三脚取付部材９から三脚１０を取り外せばよい。従って、１台のレーザー墨出し装置１で高所位置での墨出し作業と低位置での墨出し作業を行うことができる。
【００３９】
また、昇降支持手段３を垂直材４に取り付ける取付手段５は、この実施形態のように、上部水平取付アーム１３及び下部水平取付アーム１４と連結取付用竪板材１５とで構成することが好ましいけれども、その構成から連結取付用竪板材１５を取り除いて、上部水平取付アーム１３及び下部水平取付アーム１４からなるものとしてもよいし、あるいはまた昇降支持手段３を、垂直材４に接近した位置でこの垂直材４に取り付けるようなものでもよい。但し、好ましい取付手段５としては、昇降支持手段３と垂直材４との間に一定の間隔を確保した状態で昇降支持手段３を垂直材４に取り付ける構成とするものであり、前述したように、レーザー墨出し装置１を取り付ける側の壁材４Ａ等の垂直材４に対しても、レーザー装置２から直接レーザー光線ＬＢを投射することができる。
【符号の説明】
【００４０】
１            レーザー墨出し装置
２            レーザー装置
３            昇降支持手段
４            垂直材
４Ａ，４Ｂ    壁材（垂直材）
５            取付手段
６            基筒部
７            伸縮部材
８            レーザー装置取付用座板
９            三脚取付部材
１０          三脚
１１          伸縮部材操作機構
１３          上部水平取付アーム
１４          下部水平取付アーム
１５          連結取付用竪板材
【図１】
0003191647.tif 000003
【図２】
0003191647.tif 000004
【図３】
0003191647.tif 000005
【図４】
0003191647.tif 000006
【図５】
0003191647.tif 000007